(57)【要約】      （修正有）【課題】古紙の新聞や雑誌を積み重ねて保管して置き、その積み重ね体を運び出すための紐掛けを便利にする古紙保管構造を提供する。【解決手段】基板１上に縦棒２を前後左右の位置に設立する。左右の縦棒は内法を新聞や雑誌の短辺長さ強にし、左右の縦棒の間の空間に、新聞や雑誌を、長辺方向を前後方向にして挿入する構成にする。その空間に、受け部７を設け、受け部に新聞や雑誌を積み重ねて平積みにする構成にする。縦棒は高さを同一にし、左右の縦棒は外法を新聞や雑誌の長辺長さ位に、前後の縦棒は外法を新聞や雑誌の短辺長さ位にし、前後左右の縦棒上に紐掛け用の新聞や雑誌の積み重ね体を、長辺方向を左右方向に短辺方向を前後方向にして載せる構成にする。載せると、下面の四隅の隅角部が支持され、下面の中央部分の下側に、紐が短辺方向と長辺方向に通る紐通し空間が形成される。【選択図】図１
0003206733.tif 000002
【実用新案登録請求の範囲】
【請求項１】
古紙の新聞や雑誌を積み重ねて保管して置き、その積み重ね体を運び出すために紐掛けするのに用いる古紙保管構造であって、
基板の上には、縦棒を設立して前後左右の位置にそれぞれ配置し、
前側における左右の縦棒と後側における左右の縦棒は、それぞれ、左右方向の内法を新聞や雑誌の短辺長さ強にし、左側における前後の縦棒と右側における前後の縦棒の間に、新聞や雑誌を、長辺方向を前後方向にして挿入する構成にし、
左側における前後の縦棒と右側における前後の縦棒の間の空間には、新聞や雑誌を載せる受け部を設け、新聞や雑誌を受け部に積み重ねて平積みにする構成にし、
前後左右の縦棒は、高さを同一にし、前側における左右の縦棒と後側における左右の縦棒は、それぞれ、左右方向の外法を新聞や雑誌の長辺長さ位にし、左側における前後の縦棒と右側における前後の縦棒は、それぞれ、前後方向の外法を新聞や雑誌の短辺長さ位にし、前後左右の縦棒の上に紐掛け用の新聞や雑誌の積み重ね体を、下面の長辺方向を左右方向に短辺方向を前後方向にして載せる構成にし、紐掛け用の新聞や雑誌の積み重ね体を、前後左右の縦棒の上に載せると、下面の四隅の隅角部が支持され、下面の中央部分の下側に、紐が下面の短辺方向に通る紐通し空間と長辺方向に通る紐通し空間を形成する構成にしていることを特徴とする古紙保管構造。
【請求項２】
左側における前後の縦棒と右側における前後の縦棒の間の空間は、受け部を上下方向の中間位置に設け、受け部上の新聞や雑誌と基板の間に、紐やハサミを収納して置く物入れ空間を形成する構成にしていることを特徴とする請求項１に記載の古紙保管構造。
【請求項３】
受け部構成用の部材は左側部材と右側部材にし、左側部材を左側における前後の縦棒の右側に設け、右側部材を右側における前後の縦棒の左側に設け、左側部材と右側部材の上面で受け部を構成していることを特徴とする請求項２に記載の紙保管構造。
ことを特徴とする。
【請求項４】
受け部構成用の部材は掛け渡し部材にし、掛け渡し部材を左側における前後の縦棒と右側における前後の縦棒の間に左右方向に沿って掛け渡し、掛け渡し部材の上面で受け部を構成していることを特徴とする請求項２に記載の紙保管構造。
【請求項５】
左側における前後の縦棒と右側における前後の縦棒の間の空間は、受け部を最低位置の基板上面にし、基板上の全空間を新聞や雑誌の積み重ね空間にしていることを特徴とする請求項１に記載の古紙保管構造。
【請求項６】
基板上に設立する前後左右の縦棒は着脱可能にし、不使用時に分解して嵩張らない形態にする構成にしていることを特徴とする請求項１〜５のいずれかに記載の古紙保管構造。
【考案の詳細な説明】
【技術分野】
【０００１】
本考案は、古紙の新聞や雑誌を積み重ねて保管して置き、その積み重ね体を運び出すために紐掛けする技術に関する。
【背景技術】
【０００２】
定期的に発行される新聞や雑誌は、読み終える毎に、屋内の古紙保管場所に積み重ねて保管して置く。その積み重ね体は、月日の経過に従って積み上がり、増量する。保管中の新聞や雑誌の積み重ね体は、持運びに適した量、即ち、紐掛け用の量に達した後、紐掛け用の量を紐掛けして束ねる。新聞や雑誌の紐掛け体は、屋外に運び出して古紙回収場所に置いて置く。屋外の古紙回収場所に置かれた新聞や雑誌は、古紙として回収され、再生される。
【先行技術文献】
【特許文献】
【０００３】
【特許文献１】登録実用新案第３０７５５１３号公報
【考案の概要】
【考案が解決しようとする課題】
【０００４】
［課  題］
１）上記のような古紙の新聞や雑誌の積み重ね体を紐掛けするときには、十文字巻き又は１回転巻き、２回転巻きにする。新聞や雑誌の積み重ね体に紐を巻き付ける工程では、新聞や雑誌の積み重ね体の下側に紐を通す操作がある。
この紐通し操作では、床に置いた新聞や雑誌の積み重ね体の下側に片方の手を差し込む。その手を上げて新聞や雑誌の積み重ね体の端を持ち上げる。片方の手の差込みと持上げで新聞や雑誌の積み重ね体の端と床の間に隙間を作る。隙間を片方の手で維持しつつ、他方の手で隙間に紐を通す。紐は、端側の部分を引っ張って、新聞や雑誌の積み重ね体の下側に位置する部分を、積み重ね体の下面の短辺又は長辺の中央位置に移動させる。
このような紐通し操作は、容易ではない。手間が掛かる。
【０００５】
２）新聞や雑誌は、古紙保管場所に積み重ねる際、真上に積み重ならず、横方向にずれることがある。新聞や雑誌の積み重ね体は、上下の新聞や雑誌が横に大きくずれていると、紐掛けが行い難い。
【０００６】
３）紐掛けには、紐と紐を切るハサミを必要とする。紐とハサミが紐掛けを行う場所にないと、紐とハサミを用意する手間が掛かる。
【０００７】
４）そこで、古紙の新聞や雑誌の積み重ね体を紐掛けし易くしたい。
【０００８】
［着  想］
１）定期的に発行される雑誌は、週刊誌と月刊誌が代表例である。ほとんどの雑誌は、大きさがＡ４判（短辺長さ：２１０ｍｍ、長辺長さ：２９７ｍｍ）である。定期的に発行される新聞は、日刊紙が代表例である。ほとんどの新聞は、大きさがブランケット判（短辺長さ：４０６ｍｍ、長辺長さ：５４５ｍｍ）である。ブランケット判の新聞は、Ａ４判の雑誌より大きいが、折り畳むと、Ａ４判弱（短辺長さ：２０３ｍｍ、長辺長さ：２７５．５ｍｍ）になる。折り畳んだ新聞は、雑誌とほぼ同寸の長方形状になる。また、新聞は、折り畳むと、湾曲し難くなる。
新聞と雑誌は、混在して積み重ねても、新聞のみ又は雑誌のみの個別に積み重ねても、同様に取り扱うことができる。
【０００９】
２）新聞や雑誌の積み重ね体は、持運びに適した量、紐掛け用の量位になると、一個の直方体形状のブロックのようになる。紐掛け用の新聞や雑誌の積み重ね体は、長方形状の下面の四隅の隅角部を支持して持ち上げると、中央部分も持ち上がって宙に浮く。中央部分の下側には、下面の短辺方向に通る紐通し空間と、長辺方向に通る紐通し空間が形成される。短辺方向の紐通しと長辺方向の紐通しが容易になる。
【００１０】
３）新聞や雑誌は、古紙保管場所に積み重ねる際、左側に配置した縦棒と右側に配置した縦棒の間に嵌め込んで積み重ねると、左右方向のずれが抑えられる。具体的には、基板の上に４本の縦棒を設立して前後左右の位置にそれぞれ配置する。そして、前側における左右の２本の縦棒は、左右方向の内法を新聞や雑誌の短辺長さ強にする。後側における左右の２本の縦棒も、左右方向の内法を新聞や雑誌の短辺長さ強にする。すると、左側における前後の縦棒と右側における前後の縦棒の間には、長辺を前後方向にした新聞や雑誌が嵌り込み、左右方向のずれが抑えられて積み重なる。
【００１１】
４）前側における左右の縦棒と後側における左右の縦棒は、それぞれ、左右方向の外法を新聞や雑誌の長辺長さ位にする。左側における前後の縦棒と右側における前後の縦棒は、それぞれ、前後方向の外法を新聞や雑誌の短辺長さ位にする。更に、前後左右の縦棒は、高さを同一にする。すると、前後左右の縦棒の上には、新聞や雑誌の積み重ね体を、長辺方向を左右方向に短辺方向を前後方向にして載せることができる。新聞や雑誌の積み重ね体は、前後左右の縦棒の上に載せると、前後左右の縦棒で下面の四隅の隅角部が支持される。即ち、下面の四隅の隅角部以外の部分、中央部分の下側に、下面の短辺方向、前後方向に通る紐通し空間と、下面の長辺方向、左右方向に通る紐通し空間が形成される。十文字巻きの紐通しが容易になる。１回転巻きや２回転巻きの紐通しも容易になる。
【００１２】
５）左側における前後の縦棒と右側における前後の縦棒の間の空間は、上下方向の中間位置に受け部を設ける。受け部に新聞や雑誌が載る構成にする。すると、受け部上の新聞や雑誌と基板の間に空間が形成される。その空間は、紐やハサミを収納して置く物入れ空間にする。紐やハサミを紐掛け場所に配置して置くことができる。即ち、左側における前後の縦棒と右側における前後の縦棒の間の空間は、受け部の上側を新聞や雑誌の積み重ね空間にし、受け部の下側を紐やハサミを収納して置く物入れ空間にする。
【００１３】
６）受け部を構成する部材、受け部構成用の部材は、左側部材と右側部材にする。左側部材は、左側における前後の縦棒の右側に設ける。右側部材は、右側における前後の縦棒の左側に設ける。受け部は、左側部材と右側部材の上面で構成する。
又は、受け部構成用の部材は、掛け渡し部材にする。掛け渡し部材は、左側における前後の縦棒と右側における前後の縦棒の間に左右方向に沿って掛け渡す。受け部は、掛け渡し部材の上面で構成する。
【００１４】
７）物入れ空間が不要な場合は、左側における前後の縦棒と右側における前後の縦棒の間の空間には、上下方向中間位置に受け部を設けない。受け部は、最低位置の基板上面にする。基板上の全空間を新聞や雑誌の積み重ね空間にする。
【００１５】
８）基板上に設立する４本の縦棒は、着脱可能にする。基板から分離可能にする。不使用時に分解して嵩張らない形態にする。在庫や輸送に便利になる。
【課題を解決するための手段】
【００１６】
１．古紙の新聞や雑誌を積み重ねて保管して置き、その積み重ね体を運び出すために紐掛けするのに用いる古紙保管構造であって、
基板の上には、縦棒を設立して前後左右の位置にそれぞれ配置し、
前側における左右の縦棒と後側における左右の縦棒は、それぞれ、左右方向の内法を新聞や雑誌の短辺長さ強にし、左側における前後の縦棒と右側における前後の縦棒の間に、新聞や雑誌を、長辺方向を前後方向にして挿入する構成にし、
左側における前後の縦棒と右側における前後の縦棒の間の空間には、新聞や雑誌を載せる受け部を設け、新聞や雑誌を受け部に積み重ねて平積みにする構成にし、
前後左右の縦棒は、高さを同一にし、前側における左右の縦棒と後側における左右の縦棒は、それぞれ、左右方向の外法を新聞や雑誌の長辺長さ位にし、左側における前後の縦棒と右側における前後の縦棒は、それぞれ、前後方向の外法を新聞や雑誌の短辺長さ位にし、前後左右の縦棒の上に紐掛け用の新聞や雑誌の積み重ね体を、下面の長辺方向を左右方向に短辺方向を前後方向にして載せる構成にし、紐掛け用の新聞や雑誌の積み重ね体を、前後左右の縦棒の上に載せると、下面の四隅の隅角部が支持され、下面の中央部分の下側に、紐が下面の短辺方向に通る紐通し空間と長辺方向に通る紐通し空間を形成する構成にしていることを特徴とする古紙保管構造。
２．上記１の古紙保管構造において、
左側における前後の縦棒と右側における前後の縦棒の間の空間は、受け部を上下方向の中間位置に設け、受け部上の新聞や雑誌と基板の間に、紐やハサミを収納して置く物入れ空間を形成する構成にしていることを特徴とする。
３．上記２の古紙保管構造において、
受け部構成用の部材は左側部材と右側部材にし、左側部材を左側における前後の縦棒の右側に設け、右側部材を右側における前後の縦棒の左側に設け、左側部材と右側部材の上面で受け部を構成していることを特徴とする。
４．上記２の古紙保管構造において、
受け部構成用の部材は掛け渡し部材にし、掛け渡し部材を左側における前後の縦棒と右側における前後の縦棒の間に左右方向に沿って掛け渡し、掛け渡し部材の上面で受け部を構成していることを特徴とする。
５．上記１の古紙保管構造において、
左側における前後の縦棒と右側における前後の縦棒の間の空間は、受け部を最低位置の基板上面にし、基板上の全空間を新聞や雑誌の積み重ね空間にしていることを特徴とする。
６．上記１〜５のいずれかの保管構造において、
基板上に設立する前後左右の縦棒は着脱可能にし、不使用時に分解して嵩張らない形態にする構成にしていることを特徴とする。
【考案の効果】
【００１７】
古紙の新聞や雑誌を積み重ねて保管して置き、その積み重ね体を運び出すために紐掛けするのに便利になる。
【図面の簡単な説明】
【００１８】
【図１】本考案の実施形態の第１例における古紙保管構造の斜視図。
【図２】同古紙保管構造と雑誌の平面図。
【図３】同古紙保管構造と紐巻き体の正面図。
【図４】同古紙保管構造に紐とハサミを収納した状態の平面図。
【図５】同状態の正面図。
【図６】同古紙保管構造に新聞や雑誌を積み上げた保管状態の正面図。
【図７】同古紙保管構造の上に紐掛け用の新聞や雑誌の積み重ね体を載せた状態の正面図。
【図８】同状態の右側面図。
【図９】同古紙保管構造上の紐掛け用の新聞や雑誌の積み重ね体に紐掛けした状態の正面図。
【図１０】同状態の右側面図。
【図１１】実施形態の第２例における古紙保管構造の斜視図。
【図１２】第３例における古紙保管構造の斜視図。
【図１３】同古紙保管構造を基板、縦棒と受け部構成用の横棒に分離した状態の斜視図。
【図１４】第４例における古紙保管構造の斜視図。
【考案を実施するための形態】
【００１９】
［第１例（図１〜図１０参照）］
本例の古紙保管構造は、図１〜図３に示すように、基板１の上に縦棒２を設立している。基板１は、左右方向が前後方向より長い長方形状にし、大きさをＡ４判位にしている。縦棒２は、４本にし、基板１の前後左右の隅角部にそれぞれ配置している。
【００２０】
前側における左右の縦棒２と後側における左右の縦棒２は、それぞれ、左右方向の内法Ｓ１をＡ４判の雑誌ｕの短辺長さｓ強にしている。左側における前後の縦棒２と右側における前後の縦棒２の間の空間には、読み終えた新聞や雑誌ｕ、ほぼＡ４判の古紙ｕを、長辺方向を前後方向にして挿入する構成にしている。なお、Ａ４判より大きい新聞は、左右の縦棒２の間に挿入する前に、折り畳んで雑誌と同程度の寸法、Ａ４判位にする。
【００２１】
前後左右の４本の縦棒２は、上端面の高さを同一にしている。前側における左右の縦棒２と後側における左右の縦棒２は、それぞれ、左右方向の外法ＷをＡ４判の雑誌ｕの長辺長さｗ位にしている。左側における前後の縦棒２と右側における前後の縦棒２は、それぞれ、前後方向の外法Ｓ２をＡ４判の雑誌ｕの短辺長さｓ位にしている。前後左右の縦棒２は、上端面の上に紐掛け用の新聞や雑誌ｕの積み重ね体を、下面の長辺方向を左右方向に短辺方向を前後方向にして載せる構成にしている。紐掛け用の新聞や雑誌ｕの積み重ね体は、前後左右の縦棒２の上に載せると、下面の四隅の隅角部が支持される。縦棒２上の紐掛け用の新聞や雑誌ｕの積み重ね体の下側には、下面の四隅の隅角部以外の部分、中央部分の下側に、紐が前後方向、下面の短辺方向に通る紐通し空間３と左右方向、長辺方向に通る紐通し空間４を形成する構成にしている。
【００２２】
また、左側における前後の縦棒２の右側には、それぞれ、受け棒６を設立している。右側における前後の縦棒２の左側には、それぞれ、受け棒６を設立している。前後左右の４本の受け棒６は、縦棒２より低く、上端面の高さＨを同一にして紐巻き体ｂの高さｈより高くしている。前後左右の受け棒６の上端面は、縦棒２の上下方向の中間位置、縦棒２の下端側位置に配置している。そして、前後左右の受け棒６の上端面は、左側における前後の縦棒２と右側における前後の縦棒２の間に挿入した新聞や雑誌ｕを載せる受け部７にしている。受け部７の上に新聞や雑誌ｕを積み重ねて平積みにする構成にしている。受け部７上の新聞や雑誌ｕと基板１の間は、紐巻き体ｂやハサミｃを収納して置く物入れ空間８にしている。基板１の上には紐巻き体ｂの位置決め駒９を突出している。
【００２３】
即ち、左側における前後の縦棒２と右側における前後の縦棒２の間の空間は、上下方向の中間位置に、新聞や雑誌を載せる受け部７を設け、受け部７の上側を新聞や雑誌ｕの積み重ね空間にし、受け部７の下側を物入れ空間８にしている。受け部７を構成している受け棒６、受け部構成用の部材６は、左側における前後の受け棒６を左側部材にし、右側における前後の受け棒６を右側部材にしている。左側部材６と右側部材６は、上面に新聞や雑誌の左側部と右側部を載せる構成にしている。
【００２４】
なお、基板１は、上面に補強板１０を固定している。補強板１０は、左側における前後の縦棒２の間、右側における前後の縦棒２の間にそれぞれ前後方向に沿って配置している。保管構造は、木材製にし、木材の基板１、縦棒２、受け棒６、位置決め駒９と補強板１０を木ネジと接着剤で固定して構成している。
【００２５】
本例の古紙保管構造は、使用時、屋内の古紙保管場所に配置して置く。そして、図４と図５に示すように、基板１の上に紐巻き体ｂやハサミｃを置く。紐巻き体ｂやハサミｃは、物入れ空間８に収納して置く。
【００２６】
新聞又は雑誌ｕは、読み終えると、長辺方向を前後方向にして左側における前後の縦棒２と右側における前後の縦棒２の間に挿入し、短辺方向を左右方向にして、平面姿勢で受け部７に載せる。その後は、読み終える毎に、長辺方向を前後方向にして左側における前後の縦棒２と右側における前後の縦棒２の間に挿入し、受け部７に載っている新聞や雑誌ｕの上に平面姿勢で載せる。受け部７には、図６に示すように、新聞や雑誌ｕを積み重ねて平積みにする。読み終えた新聞や雑誌ｕは、積み重ね平積み状態で保管する。新聞や雑誌ｕの積み重ね体は、月日の経過に従って積み上がり、増量する。
【００２７】
保管中の新聞や雑誌ｕの積み重ね体は、持運びに適した量、紐掛け用の量に達した後、上部から紐掛け用の量を持ち上げて左側における前後の縦棒２と右側における前後の縦棒２の間から抜き出す。紐掛け用の新聞や雑誌ｕの積み重ね体は、下面の長辺方向を左右方向に短辺方向を前後方向にして前後左右の縦棒２の上に載せる。前後左右の縦棒２は、紐掛け用の新聞や雑誌ｕの積み重ね体をその下面の四隅の隅角部で支持する。すると、図７と図８に示すように、縦棒２上の紐掛け用の新聞や雑誌ｕの積み重ね体の下側には、紐が前後方向、下面の短辺方向に通る紐通し空間３と左右方向、長辺方向に通る紐通し空間４が形成される。
【００２８】
物入れ空間８からは、紐巻き体ｂとハサミｃを取り出す。紐巻き体ｂからは、紐ｒを繰り出す。縦棒２上の紐掛け用の新聞や雑誌ｕの積み重ね体は、図９と図１０に示すように、前後方向、下面の短辺方向の紐通し空間３と左右方向、長辺方向の紐通し空間４に紐ｒを通して、十文字巻きの紐掛けを行う。又は、前後方向、下面の短辺方向の紐通し空間３に紐ｒを通して、１回転巻きや２回転巻きの紐掛けを行う。紐掛けには、紐巻き体ｂから繰り出した紐ｒとハサミｃを用いる。
その後、新聞や雑誌ｕの紐掛け体は、屋外の古紙回収場所に運び出す。
【００２９】
［第２例（図１１参照）］
本例の古紙保管構造は、新聞や雑誌ｕを載せる受け部７を、図１１に示すように、第１例における棒６より上下方向長さが短い駒１６で構成している。
【００３０】
受け部構成用の部材は、左側部材と右側部材をそれぞれ直方体形状の駒１６にしている。また、基板１の上に紐巻き体ｂの位置決め駒９を設けていない。紐巻き体ｂやハサミｃを収納する物入れ空間８を広くしている。
【００３１】
左側における前後の縦棒２は、それぞれ、右側面に左側部材の受け駒１６を右側に突出して固定している。右側における前後の縦棒２は、それぞれ、左側面に右側部材の受け駒１６を左側に突出して固定している。前後左右の４個の受け駒１６は、上面の高さを同一にして第１例における受け棒６の上端面と同じ高さにしている。前後左右の受け駒１６の上面は、左側における前後の縦棒２と右側における前後の縦棒２の間に挿入した新聞や雑誌ｕを載せる受け部７にしている。
その他の点は、第１例におけるのと同様にしている。第１例におけるのと同様な部分には、図中、第１例におけるのと同一の符号を付けている。
【００３２】
［第３例（図１２と図１３参照）］
本例の古紙保管構造は、新聞や雑誌ｕを載せる受け部７を、図１２に示すように、前側における左右の縦棒２の間に掛け渡す横棒２１と、後側における左右の縦棒２の間に掛け渡す横棒２１で構成している。
【００３３】
受け部構成用の部材は、掛け渡し部材２１にしている。前側と後側の横棒２１は、上面の高さを同一にして第１例における受け棒６の上端面と同じ高さにしている。前後の横棒２１の上面は、左側における前後の縦棒２と右側における前後の縦棒２の間に挿入した新聞や雑誌ｕを載せる受け部７にしている。左右の縦棒２の間に掛け渡す横棒２１で構成する受け部７は、短辺方向が曲り易い新聞や雑誌ｕでも、確実に載せて置くことができる。
【００３４】
左右の補強板１０は、それぞれ、基板１の下面に前後方向の全長に亘って固定している。基板１の上には、補強板１０も紐巻き体ｂの位置決め駒９も設けていない。紐巻き体ｂやハサミｃを収納する物入れ空間８を広くしている。
【００３５】
また、２本の横棒２１、４本の縦棒２と１枚の補強板１０付き基板１は、それぞれ、図１３に示すように、分離可能にしている。着脱可能にしている。古紙保管構造は、不使用時に分解して横棒２１と縦棒２を束ねる。嵩張らなくなる。在庫や輸送に便利な形態になる。
【００３６】
左側における前後の縦棒２は、それぞれ、右側面に溝２２を前後方向に貫通して形成している。右側における前後の縦棒２は、それぞれ、左側面に溝２２を前後方向に貫通して形成している。前側における左右の縦棒２の内面の溝２２に横棒２１の左右の端部を嵌め込んでいる。前側における左右の縦棒２の間に横棒２１を掛け渡して取り付けている。後側における左右の縦棒２の内面の溝２２に横棒２１の左右の端部を嵌め込んでいる。後側における左右の縦棒２の間に横棒２１を掛け渡して取り付けている。前側と後側の横棒２１は、それぞれ、左右の縦棒２から前後方向に抜き取り可能にしている。
【００３７】
基板１は、前後左右の隅角部に、それぞれ、ほぞ孔２３を上下方向に貫通して形成している。ほぞ孔２３は、補強板１０も上下方向に貫通している。４本の縦棒２は、それぞれ、下端にほぞ２４を下方に突出して形成している。基板１と補強板１０の前後左右のほぞ孔２３には、それぞれ、縦棒２の下端のほぞ２４を差し込んでいる。基板１の上には、縦棒２を前後左右の位置にそれぞれ設立している。縦棒２の設立には、ほぞ継手２３、２４を用いている。前後左右の縦棒２は、それぞれ、基板１と補強板１０から上方に抜き取り可能にしている。
本例の古紙保管構造は、使用方法やその他の点を、第１例におけるのと同様にしている。
【００３８】
［第４例（図１４参照）］
本例の古紙保管構造は、第３例のそれにおいて、図１４に示すように、前後の横棒２１と前後左右の溝２２を設けていない。受け部７を基板１の上面にしている。左側における前後の縦棒２と右側における前後の縦棒２の間の空間は、最低位置の基板１上面を受け部７にしている。基板１上の全空間を新聞や雑誌の積み重ね空間にしている。物入れ空間８を設けていない。
その他の点は、第３例におけるのと同様にしている。第３例におけるのと同様な部分には、図中、第３例におけるのと同一の符号を付けている。
【００３９】
［変形例］
本考案は、上記の実施形態に限定されない。次のような変形が例示される。
１．上記の実施形態において、保管する古紙の新聞や雑誌ｕは、大きさをＡ４判位にしているが、Ｂ５判にする。又は、その他の大きさにする。
２．上記の実施形態において、保管する古紙ｕは、新聞と雑誌を混在させているが、新聞のみ、又は、雑誌のみにする。
３．上記の実施形態において、物入れ空間８は、収納品を紐巻き体ｂとハサミｃにしているが、古紙回収日を記載したチラシやその他の物を加える。
４．上記の実施形態において、縦棒２は、横断面形状を矩形状にしているが、丸形状や三角形状にする。又は、多角形状やその他の形状にする。
５．上記の実施形態において、基板１は、反りを防ぐ補強板１０を付設しているが、補強板１０を付設しない。
６．上記の実施形態の第３例において、受け部構成用の部材は、掛け渡し部材にし、前側における左右の縦棒２の間と、後側における左右の縦棒２の間にそれぞれ掛け渡す前側と後側の２本の横棒２１にしているが、左側における前後の縦棒２と右側における前後の縦棒２の間に左右方向に沿って掛け渡す１枚の横板にする。
７．上記の実施形態において、古紙保管構造は、木材製にしているが、金属製、合成樹脂製にする。又は、その他の材料製にする。
【符号の説明】
【００４０】
１  基板
２  縦棒
３  前後方向、雑誌短辺方向の紐通し空間
４  左右方向、雑誌長辺方向の紐通し空間
６  受け棒、棒、受け部構成用の部材
７  受け部
８  物入れ空間
９  紐巻き体の位置決め駒
１０  補強板
１６  駒、受け駒、受け部構成用の部材
２１  横棒、掛け渡し部材、受け部構成用の部材
２２  溝
２３  ほぞ孔
２４  ほぞ
２３、２４  ほぞ継手
Ｓ１  左右の縦棒の内法
Ｗ  左右の縦棒の外法
Ｓ２  前後の縦棒の外法
Ｈ  受け棒の高さ、受け部の高さ
ｕ  雑誌、新聞や雑誌、古紙
ｓ  雑誌の短辺長さ
ｗ  雑誌の長辺長さ
ｂ  紐巻き体
ｒ  紐
ｈ  紐巻き体の高さ
ｃ  ハサミ
【図１】
0003206733.tif 000003
【図２】
0003206733.tif 000004
【図３】
0003206733.tif 000005
【図４】
0003206733.tif 000006
【図５】
0003206733.tif 000007
【図６】
0003206733.tif 000008
【図７】
0003206733.tif 000009
【図８】
0003206733.tif 000010
【図９】
0003206733.tif 000011
【図１０】
0003206733.tif 000012
【図１１】
0003206733.tif 000013
【図１２】
0003206733.tif 000014
【図１３】
0003206733.tif 000015
【図１４】
0003206733.tif 000016